【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
音楽データに合わせて変色を伴って表示される文字データに関する表示情報を変換する変換処理方法において、
文字データに対応付けて文字データの位置情報、サイズ情報及び変色する際の時間情報を含む表示情報を記憶した表示情報データベースから、位置情報、サイズ情報及び変色する際の時間情報を制御部により読み出すステップと、
縮小率を記憶した仕様データベースから、縮小率を前記制御部により読み出すステップと、
前記読み出した文字データの位置情報を前記読み出した縮小率に基づき前記制御部により変換する位置情報変換ステップと、
前記読み出したサイズ情報を前記縮小率に基づき前記制御部により変換するサイズ変換ステップと、
前記読み出した時間情報及び前記サイズ変換ステップにより変換されたサイズ情報に基づき、変換後の文字データの変色速度を前記制御部により算出する速度算出ステップと
を備えることを特徴とする変換処理方法。
【請求項２】
音楽データに合わせて変色を伴って表示される文字データに関する表示情報を変換する変換処理装置において、
文字データに対応付けて文字データの位置情報、サイズ情報及び変色する際の時間情報を含む表示情報を記憶した表示情報データベースから、位置情報、サイズ情報及び変色する際の時間情報を読み出す手段と、
縮小率を記憶した仕様データベースから、縮小率を前記制御部により読み出す手段と、
前記読み出した文字データの位置情報を前記読み出した縮小率に基づき変換する位置情報変換手段と、
前記読み出したサイズ情報を前記縮小率に基づき変換するサイズ変換手段と、
前記読み出した時間情報及び前記サイズ変換手段により変換されたサイズ情報に基づき、変換後の文字データの変色速度を算出する速度算出手段と
を備えることを特徴とする変換処理装置。
【請求項３】
前記位置情報変換手段により変換された位置情報、前記サイズ変換手段により変換されたサイズ情報及び前記速度算出手段により算出された変色速度を記憶する手段
をさらに備えることを特徴とする請求項２に記載の変換処理装置。
【請求項４】
前記サイズ変換手段は、前記読み出した一の文字データのサイズ情報が該一の文字データと共に列記される他の文字データのサイズ情報よりも小さい場合、前記他の文字データのサイズ情報及び前記縮小率に基づき、前記一の文字データのサイズ情報を変換するよう構成してあり、
前記仕様データベースは、縮小率及び携帯端末機の表示領域を記憶しており、
前記一の文字データが含まれており、かつ、前記位置情報変換手段により変換された位置情報が前記仕様データベースに記憶された携帯端末機の表示領域を超える場合、該表示領域を超えないよう前記変換された位置情報を補正する手段
をさらに備えることを特徴とする請求項２または３に記載の変換処理装置。
【請求項５】
前記速度算出手段は、前記サイズ変換手段により変換されたサイズ情報を、前記表示情報データベースから読み出した時間情報で除すことにより、変換後の文字データの変色速度を算出するよう構成してあることを特徴とする請求項２乃至４のいずれか一つに記載の変換処理装置。
【請求項６】
音楽データに合わせて変色を伴って表示される文字データに関する表示情報をコンピュータにより変換させるためのコンピュータプログラムにおいて、
コンピュータに、
文字データに対応付けて文字データの位置情報、サイズ情報及び変色する際の時間情報を含む表示情報を記憶した表示情報データベースから、位置情報、サイズ情報及び変色する際の時間情報を制御部により読み出すステップと、
縮小率を記憶した仕様データベースから、縮小率を前記制御部により読み出すステップと、
前記読み出した文字データの位置情報を前記読み出した縮小率に基づき前記制御部により変換する位置情報変換ステップと、
前記読み出したサイズ情報を前記縮小率に基づき前記制御部により変換するサイズ変換ステップと、
前記読み出した時間情報及び前記サイズ変換ステップにより変換したサイズ情報に基づき、変換後の文字データの変色速度を前記制御部により算出する速度算出ステップと
を実行させるコンピュータプログラム。
【請求項７】
請求項２乃至５のいずれか一つに記載の変換処理装置及び該変換処理装置に通信網を介して接続された携帯端末機からなる配信システムにおいて、
前記変換処理装置は、
音楽データに対応する文字データ、前記位置情報変換手段により変換した位置情報、及び前記速度算出手段により算出した変色速度を含む表示情報を前記携帯端末機へ送信する送信手段をさらに備え、
前記携帯端末機は、
前記送信された音楽データに対応する文字データ、文字データの位置情報、及び変色速度を含む表示情報を受信する受信手段と、
前記受信した文字データを画像データへ変換する手段と、
前記音楽データの再生に伴い、前記変換された文字データに基づく画像データを前記受信した位置情報に従って表示部に表示する文字表示手段と、
前記受信した変色速度に従い、前記表示された文字データに基づく画像データを変色する変色手段と
を備えることを特徴とする配信システム。
【手続補正２】
【補正対象書類名】明細書
【補正対象項目名】００１３
【補正方法】変更
【補正の内容】
【００１３】
本発明に係る変換処理方法は、音楽データに合わせて変色を伴って表示される文字データに関する表示情報を変換する変換処理方法において、文字データに対応付けて文字データの位置情報、サイズ情報及び変色する際の時間情報を含む表示情報を記憶した表示情報データベースから、位置情報、サイズ情報及び変色する際の時間情報を制御部により読み出すステップと、縮小率を記憶した仕様データベースから、縮小率を前記制御部により読み出すステップと、前記読み出した文字データの位置情報を前記読み出した縮小率に基づき前記制御部により変換する位置情報変換ステップと、前記読み出したサイズ情報を前記縮小率に基づき前記制御部により変換するサイズ変換ステップと、前記読み出した時間情報及び前記サイズ変換ステップにより変換されたサイズ情報に基づき、変換後の文字データの変色速度を前記制御部により算出する速度算出ステップとを備えることを特徴とする。
【手続補正３】
【補正対象書類名】明細書
【補正対象項目名】００１４
【補正方法】変更
【補正の内容】
【００１４】
本発明に係る変換処理装置は、音楽データに合わせて変色を伴って表示される文字データに関する表示情報を変換する変換処理装置において、文字データに対応付けて文字データの位置情報、サイズ情報及び変色する際の時間情報を含む表示情報を記憶した表示情報データベースから、位置情報、サイズ情報及び変色する際の時間情報を読み出す手段と、縮小率を記憶した仕様データベースから、縮小率を前記制御部により読み出す手段と、前記読み出した文字データの位置情報を前記読み出した縮小率に基づき変換する位置情報変換手段と、前記読み出したサイズ情報を前記縮小率に基づき変換するサイズ変換手段と、前記読み出した時間情報及び前記サイズ変換手段により変換されたサイズ情報に基づき、変換後の文字データの変色速度を算出する速度算出手段とを備えることを特徴とする。
【手続補正４】
【補正対象書類名】明細書
【補正対象項目名】００１５
【補正方法】変更
【補正の内容】
【００１５】
本発明に係る変換処理装置は、前記位置情報変換手段により変換された位置情報、前記サイズ変換手段により変換されたサイズ情報及び前記速度算出手段により算出された変色速度を記憶する手段をさらに備えることを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明に係る変換処理装置は、前記サイズ変換手段は、前記読み出した一の文字データのサイズ情報が該一の文字データと共に列記される他の文字データのサイズ情報よりも小さい場合、前記他の文字データのサイズ情報及び前記縮小率に基づき、前記一の文字データのサイズ情報を変換するよう構成してあり、前記仕様データベースは、縮小率及び携帯端末機の表示領域を記憶しており、前記一の文字データが含まれており、かつ、前記位置情報変換手段により変換された位置情報が前記仕様データベースに記憶された携帯端末機の表示領域を超える場合、該表示領域を超えないよう前記変換された位置情報を補正する手段をさらに備えることを特徴とする。
【手続補正７】
【補正対象書類名】明細書
【補正対象項目名】００１９
【補正方法】変更
【補正の内容】
【００１９】
本発明に係るコンピュータプログラムは、音楽データに合わせて変色を伴って表示される文字データに関する表示情報をコンピュータにより変換させるためのコンピュータプログラムにおいて、コンピュータに、文字データに対応付けて文字データの位置情報、サイズ情報及び変色する際の時間情報を含む表示情報を記憶した表示情報データベースから、位置情報、サイズ情報及び変色する際の時間情報を制御部により読み出すステップと、縮小率を記憶した仕様データベースから、縮小率を前記制御部により読み出すステップと、前記読み出した文字データの位置情報を前記読み出した縮小率に基づき前記制御部により変換する位置情報変換ステップと、前記読み出したサイズ情報を前記縮小率に基づき前記制御部により変換するサイズ変換ステップと、前記読み出した時間情報及び前記サイズ変換ステップにより変換したサイズ情報に基づき、変換後の文字データの変色速度を前記制御部により算出する速度算出ステップとを実行させることを特徴とする。
【手続補正８】
【補正対象書類名】明細書
【補正対象項目名】００２１
【補正方法】削除
【補正の内容】
【手続補正９】
【補正対象書類名】明細書
【補正対象項目名】０１０４
【補正方法】変更
【補正の内容】
【０１０４】
本実施の形態２は以上の如き構成としてあり、その他の構成及び作用は実施の形態１と同様であるので、対応する部分には同一の参照番号を付してその詳細な説明を省略する。本発明に係る変換処理装置は、文字データに付随するルビを画像データへ変換する手段と、変換後のルビの画像データを前記縮小率に基づき変換するルビ変換手段とをさらに備えることを特徴とする。本発明に係る変換処理装置は、前記サイズ変換手段は、前記読み出した一の文字データのサイズ情報が該一の文字データと共に列記される他の文字データのサイズ情報よりも小さい場合、前記他の文字データのサイズ情報及び前記縮小率に基づき、前記一の文字データのサイズ情報を変換するよう構成してあり、前記仕様データベースは、携帯端末機の機種に対応付けて縮小率及び表示領域を記憶しており、前記一の文字データが含まれており、かつ、前記位置情報変換手段により変換された位置情報が前記仕様データベースに記憶された携帯端末機の表示領域を超える場合、該表示領域を超えないよう前記変換された位置情報を補正する手段をさらに備えることを特徴とする。本発明に係る変換処理装置は、前記速度算出手段は、前記サイズ変換手段により変換されたサイズ情報を、前記表示情報データベースから読み出した時間情報で除すことにより、変換後の文字データの変色速度を算出するよう構成してあることを特徴とする。本発明に係る配信システムは、前述の変換処理装置及び該変換処理装置に通信網を介して接続された携帯端末機からなる配信システムにおいて、前記変換処理装置は、音楽データに対応する文字データ、前記位置情報変換手段により変換した位置情報、前記速度算出手段により算出した変色速度及び前記ルビ変換手段により変換されたルビの画像データを含む表示情報を前記携帯端末機へ送信する送信手段をさらに備え、前記携帯端末機は、前記送信された音楽データに対応する文字データ、文字データの位置情報、変色速度及びルビの画像データを含む表示情報を受信する受信手段と、前記受信した文字データを画像データへ変換する手段と、前記音楽データの再生に伴い、前記変換された文字データに基づく画像データを前記送信された位置情報に従って該文字データに対応するルビの画像データと共に表示部に表示する文字表示手段と、前記送信された変色速度に従い、前記表示された文字データに基づく画像データを変色する変色手段とを備えることを特徴とする。